(57)【要約】      （修正有）【課題】使用者の手のサイズに対応することができる箸を提供する。【解決手段】箸Ｃは、第１の箸１と、第２の箸２とを有する箸Ｃであって、第１の箸１の長手方向に対して横断する方向に設けられた横断部が設けられ、この横断部の一方側の面は、被係止部３Ａ１、３Ａ２が設けられ、横断部の一方側の裏面である横断部の他方側の面には、少なくとも、他方側第１、第２の被係止部が設けられ、第１の箸１と第２の箸２が、略平行状態にあって、一方側第１の被係止部３Ａ１は、一方側第２の被係止部３Ａ２より第２の箸２に近い側に位置し、第２の箸２の先端よりは第２の箸２の後端に近い側には、第１の板状部材と、この第１の板状部材に対向する第２の板状部材とが設けられ、第１の板状部材には、一方側係止部が設けられ、第２の板状部材２Ｂには、他方側係止部２Ｂ１が設けられているものである。【選択図】図３
2015205074.tif 000002
【特許請求の範囲】
【請求項１】
第１の箸と、この第１の箸に対向するように設けられた第２の箸とを有する箸であって、
前記第１の箸の先端よりは前記第１の箸の後端に近い側には、前記第１の箸の長手方向に対して横断する方向に設けられた横断部が設けられ、
この横断部の一方側の面には、少なくとも、一方側第１、第２の被係止部が設けられ、
前記第１の箸と前記第２の箸が、略平行状態にあって、前記一方側第１の被係止部は、前記一方側第２の被係止部より前記第２の箸に近い側に位置し、
前記横断部の一方側の裏面である前記横断部の他方側の面には、少なくとも、他方側第１、第２の被係止部が設けられ、
前記一方側第１の被係止部の反対側の面には、前記他方側第１の被係止部が、前記一方側第２の被係止部の反対側の面には、前記他方側第２の被係止部が、それぞれ対応する位置にあり、
前記第２の箸の先端よりは前記第２の箸の後端に近い側には、第１の板状部材と、この第１の板状部材に対向する第２の板状部材とが設けられ、
前記第１の板状部材には、前記一方側第１の被係止部又は前記一方側第２の被係止部に係止する一方側係止部が設けられ、
前記第２の板状部材には、前記他方側第１の被係止部又は前記他方側第２の被係止部に係止する他方側係止部が設けられ、
前記第１の板状部材と前記第２の板状部材との間に位置し、前記第１の箸の先端と前記第２の箸の先端とが離間するように付勢された弾性部材が設けられている
ことを特徴とする箸。
【請求項２】
第１の箸と、この第１の箸に対向するように設けられた第２の箸とを有する箸であって、
前記第１の箸の先端よりは前記第１の箸の後端に近い側の一方側の面には、一方側第１の係止部が設けられ、
前記一方側の面の裏面である他方側の面には、他方側第１の係止部が設けられ、
前記第２の箸の先端よりは前記第２の箸の後端に近い側には、第１の板状部材と、この第１の板状部材に対向する第２の板状部材とが設けられ、
前記第１の板状部材には、一方側第１の被係止部、一方側第２の被係止部が設けられ、
前記一方側第１の係止部は、前記一方側第１の被係止部又は前記一方側第２の被係止部に係止され、
前記第１の箸と前記第２の箸が、略平行状態にあって、前記一方側第１の被係止部は、前記一方側第２の被係止部より前記第２の箸に近い側に位置し、
前記第２の板状部材には、他方側第１の被係止部、他方側第２の被係止部が設けられ、
前記他方側第１の係止部は、前記他方側第１の被係止部又は前記他方側第２の被係止部に係止され、
前記一方側第１の被係止部は前記他方側第１の被係止部に、前記一方側第２の被係止部は前記他方側第２の被係止部に、それぞれ対向する位置関係にあり、
前記第１の板状部材と前記第２の板状部材との間に位置し、前記第１の箸の先端と前記第２の箸の先端とが離間するように付勢された弾性部材が設けられている
ことを特徴とする箸。
【請求項３】
第１の箸の先端よりは前記第１の箸の後端に近い側に第１の凹部と第２の凹部が設けられ、
前記第１の凹部と前記第２の凹部とはそれぞれの開口側を反対向きにして背中合わせの位置に配設され、
前記第１の凹部と前記第２の凹部を横断する横断部が前記第１の箸に設けられ、
弾性部材は第１の直線部、第２の直線部、この第１の直線部と前記第２の直線部を接続する接続部、前記第１の直線部の先端部より前記第１の直線部の長手方向を横断する方向へ張り出す張出部を有し、
前記張出部に係止する張出被係止部が第２の板状部材に設けられ、
前記第２の板状部材に前記張出被係止部に係止した前記張出部の前記第１の直線部の両サイドに接触して前記第１の直線部の移動を阻止する阻止部を有し、
前記第２の直線部が第１の箸に接触している
ことを特徴とする請求項１記載の箸。
【請求項４】
第１の箸の先端よりは前記第１の箸の後端に近い側に第１の凹部と第２の凹部が設けられ、
前記第１の凹部と前記第２の凹部とはそれぞれの開口側を反対向きにして背中合わせの位置に配設され、
前記第１の凹部と前記第２の凹部を横断する横断部が前記第１の箸に一体的に設けられ、
一方側第１の被係止部、一方側第２の被係止部の内、何れか一つが前記第１の箸の第１の凹部に設けられ、
他方側第１の被係止部、他方側第２の被係止部の内、何れか一つが前記第１の箸の第２の凹部に設けられ、
第１の板状部材及び第２の板状部材は第２の箸に一体的に設けられている
ことを特徴とする請求項１又は請求項３記載の箸。
【発明の詳細な説明】
【技術分野】
【０００１】
本発明は、箸に係り、特に、使用者の手のサイズに対応することができる箸に関する。
【背景技術】
【０００２】
従来、例えば、箸の使い方が不慣れの人、例えば、子供に適した箸補助具がある（特許文献１参照）。
これは、箸（１１ａ、１１ｂ）の後端同士を連結部材（１２）により回動自在に連結し、箸（１１ａ）の中間部に弾性部材（１４）を着脱自在に挿着する。弾性部材（１４）は２本の箸（１１ａ、１１ｂ）同士を開離させるために、弾性を有する合成ゴム又は合成樹脂材から成り、挿入孔（１４ａ）に箸（１１ａ）を装着し、挿入孔（１４ａ）に隣接して、その内側に設けられた半円弧状の弾発部（１４ｂ）の先端を箸（１１ｂ）に当接するようにしたものである。
【先行技術文献】
【特許文献】
【０００３】
【特許文献１】特開２０１２−１６４２９公報
【発明の概要】
【発明が解決しようとする課題】
【０００４】
しかしながら、上述の箸補助具にあっては、例えば、一方の箸の先端部と他方の箸の先端部との距離の可変幅が一定で調整できないため、大きい手のサイズにあっては、箸の先端部の距離の可変幅を広く、小さい手のサイズにあっては、箸の先端部の距離の可変幅を狭く調整できない等、使用者の手のサイズに対応することができないという問題点が生じた。
【０００５】
本発明は、前記問題点を考慮したなされた箸を提供することを目的とする。
【課題を解決するための手段】
【０００６】
請求項１記載の箸は、第１の箸と、この第１の箸に対向するように設けられた第２の箸とを有する箸であって、前記第１の箸の先端よりは前記第１の箸の後端に近い側には、前記第１の箸の長手方向に対して横断する方向に設けられた横断部が設けられ、この横断部の一方側の面には、少なくとも、一方側第１、第２の被係止部が設けられ、前記第１の箸と前記第２の箸が、略平行状態にあって、前記一方側第１の被係止部は、前記一方側第２の被係止部より前記第２の箸に近い側に位置し、前記横断部の一方側の裏面である前記横断部の他方側の面には、少なくとも、他方側第１、第２の被係止部が設けられ、前記一方側第１の被係止部の反対側の面には、前記他方側第１の被係止部が、前記一方側第２の被係止部の反対側の面には、前記他方側第２の被係止部が、それぞれ対応する位置にあり、前記第２の箸の先端よりは前記第２の箸の後端に近い側には、第１の板状部材と、この第１の板状部材に対向する第２の板状部材とが設けられ、前記第１の板状部材には、前記一方側第１の被係止部又は前記一方側第２の被係止部に係止する一方側係止部が設けられ、前記第２の板状部材には、前記他方側第１の被係止部又は前記他方側第２の被係止部に係止する他方側係止部が設けられ、前記第１の板状部材と前記第２の板状部材との間に位置し、前記第１の箸の先端と前記第２の箸の先端とが離間するように付勢された弾性部材が設けられているものである。
【０００７】
また、請求項２記載の箸は、第１の箸と、この第１の箸に対向するように設けられた第２の箸とを有する箸であって、前記第１の箸の先端よりは前記第１の箸の後端に近い側の一方側の面には、一方側第１の係止部が設けられ、前記一方側の面の裏面である他方側の面には、他方側第１の係止部が設けられ、前記第２の箸の先端よりは前記第２の箸の後端に近い側には、第１の板状部材と、この第１の板状部材に対向する第２の板状部材とが設けられ、前記第１の板状部材には、一方側第１の被係止部、一方側第２の被係止部が設けられ、前記一方側第１の係止部は、前記一方側第１の被係止部又は前記一方側第２の被係止部に係止され、前記第１の箸と前記第２の箸が、略平行状態にあって、前記一方側第１の被係止部は、前記一方側第２の被係止部より前記第２の箸に近い側に位置し、前記第２の板状部材には、他方側第１の被係止部、他方側第２の被係止部が設けられ、前記他方側第１の係止部は、前記他方側第１の被係止部又は前記他方側第２の被係止部に係止され、前記一方側第１の被係止部は前記他方側第１の被係止部に、前記一方側第２の被係止部は前記他方側第２の被係止部に、それぞれ対向する位置関係にあり、前記第１の板状部材と前記第２の板状部材との間に位置し、前記第１の箸の先端と前記第２の箸の先端とが離間するように付勢された弾性部材が設けられているものである。
【０００８】
また、請求項３記載の箸は、請求項１記載の箸において、第１の箸の先端よりは前記第１の箸の後端に近い側に第１の凹部と第２の凹部が設けられ、前記第１の凹部と前記第２の凹部とはそれぞれの開口側を反対向きにして背中合わせの位置に配設され、前記第１の凹部と前記第２の凹部を横断する横断部が前記第１の箸に設けられ、弾性部材は第１の直線部、第２の直線部、この第１の直線部と前記第２の直線部を接続する接続部、前記第１の直線部の先端部より前記第１の直線部の長手方向を横断する方向へ張り出す張出部を有し、前記張出部に係止する張出被係止部が第２の板状部材に設けられ、前記第２の板状部材に前記張出被係止部に係止した前記張出部の前記第１の直線部の両サイドに接触して前記第１の直線部の移動を阻止する阻止部を有し、前記第２の直線部が第１の箸に接触しているものである。
【０００９】
また、請求項４記載の箸は、請求項１又は請求項３記載の箸において、第１の箸の先端よりは前記第１の箸の後端に近い側に第１の凹部と第２の凹部が設けられ、前記第１の凹部と前記第２の凹部とはそれぞれの開口側を反対向きにして背中合わせの位置に配設され、前記第１の凹部と前記第２の凹部を横断する横断部が前記第１の箸に一体的に設けられ、一方側第１の被係止部、一方側第２の被係止部の内、何れか一つが前記第１の箸の第１の凹部に設けられ、他方側第１の被係止部、他方側第２の被係止部の内、何れか一つが前記第１の箸の第２の凹部に設けられ、第１の板状部材及び第２の板状部材は第２の箸に一体的に設けられているものである。
【発明の効果】
【００１０】
請求項１記載の箸によれば、一方側第１の被係止部は、一方側第２の被係止部より第２の箸に近い側に位置しているため、一方側第１の被係止部に一方側係止部が、他方側第１の被係止部に他方側係止部が、それぞれ係止した場合は、一方側第２の被係止部に一方側係止部が、他方側第２の被係止部に他方側係止部が、それぞれ係止した場合に比べ、第１の箸と第２の箸の間隔が広くなり、使用者の手のサイズに対応することができ、また、使用者が子供である場合、子供の成長に対応することができる。
【００１１】
また、請求項２記載の箸によれば、一方側第１の被係止部は、一方側第２の被係止部より第２の箸に近い側に位置しているため、一方側第１の被係止部に一方側係止部が、他方側第１の被係止部に他方側係止部が、それぞれ係止した場合は、一方側第２の被係止部に一方側係止部が、他方側第２の被係止部に他方側係止部が、それぞれ係止した場合に比べ、第１の箸と第２の箸の間隔が広くなり、使用者の手のサイズに対応することができ、また、使用者が子供である場合、子供の成長に対応することができる。
【００１２】
また、請求項３記載の箸によれば、前述した請求項１記載の発明の効果に加え、横断部が第１の箸の第１の凹部、第２の凹部に設けられているため、横断部の一方側第１、第２の被係止部に係止する一方側係止部の第１の板状部材の第２の箸よりの突出量を少なくして手で箸を把持する違和感を軽減することができ、また、弾性部材の張出部を張出被係止部で、弾性部材の第１の直線部の両サイドを阻止部でそれぞれ支持して、弾性部材の一部に荷重がかかるのを防いで弾性部材の耐久性、引いては箸の耐久性を向上させることができる。
【００１３】
また、請求項４記載の箸によれば、前述した請求項１又は請求項３記載の発明の効果に加え、従来（特開２０１２−１６４２９公報）のような箸にアダプターを取り付けるための、ホルダ、挿入孔等が不要で、しかも、一方側第１の被係止部、一方側第２の被係止部の内、何れか一つが第１の箸の第１の凹部に設けられ、他方側第１の被係止部、他方側第２の被係止部の内、何れか一つが第１の箸の第２の凹部に設けられているため、凹部を横断する横断部の第１の箸より突出する量を少なくして箸のコンパクト化を図ることができる。
【図面の簡単な説明】
【００１４】
【図１】図１は、本発明の一実施例の箸の概略的図である。
【図２】図２は、図１の２−２線による概略的断面図である。
【図３】図３は、図１の第２の箸の一部を切断し、一方側第１の係止部が一方側第２の被係止部と、他方側第２の係止部が他方側第２の被係止部との係止をそれぞれ解除した状態の概略的図である。
【図４】図４は、第２の箸の一部を切断し、一方側第１の係止部が一方側第１の被係止部に、他方側第１の係止部が他方側第１の被係止部に、それぞれ係止した状態の箸の概略的図である。
【図５】図５は、図４の５−５線による概略的断面図である。
【発明を実施するための形態】
【００１５】
本発明の一実施例の箸を図面（図１乃至図５）を参照して説明する。
図１に示すＣは箸で、箸Ｃは、第１の箸１と、この第１の箸１に対向するように設けられた第２の箸２とを有する。
【００１６】
第１の箸１の先端よりは第１の箸１の後端に近い側には、第１の箸１の長手方向に対して横断する方向に設けられた横断部３が設けられている。
横断部３の一方側の面３Ａには、少なくとも、一方側第１、第２の被係止部（例えば、凹み、穴等）３Ａ１、３Ａ２が設けられ、第１の箸１と第２の箸２が、略平行状態にあって、一方側第１の被係止部３Ａ１は、一方側第２の被係止部３Ａ２より第２の箸２に近い側に位置している。
また、横断部３の一方側の裏面である横断部３の他方側の面３Ｂには、少なくとも、他方側第１、第２の被係止部（例えば、凹み、穴等）３Ｂ１、３Ｂ２が設けられ、第１の箸１と第２の箸２が、略平行状態にあって、他方側第１の被係止部３Ｂ１は、他方側第２の被係止部３Ｂ２より第２の箸２に近い側に位置している。
そして、一方側第１の被係止部３Ａ１の反対側の面３Ｂには、他方側第１の被係止部３Ｂ１が、一方側第２の被係止部３Ａ２の反対側の面３Ｂには、他方側第２の被係止部３Ｂ２が、それぞれ対応する位置にある。
なお、第１の箸１の先端よりは第１の箸１の後端に近い側に第１の凹部１Ｘと第２の凹部１Ｙが設けられ、第１の凹部１Ｘと第２の凹部１Ｙとはそれぞれの開口側を反対向きにして背中合わせの位置に配設されている。
第１の凹部１Ｘと第２の凹部１Ｙを横断する横断部３が第１の箸１に設けられ、例えば、横断部３が第１の箸１に一体的に設けられている。
なお、一方側第１の被係止部３Ａ１、一方側第２の被係止部３Ａ２の内、何れか一つが第１の箸１の第１の凹部１Ｘに設けられ、本実施例では、一方側第２の被係止部３Ａ２が第１の凹部１Ｘに設けられている。
また、他方側第１の被係止部３Ｂ１、他方側第２の被係止部３Ｂ２の内、何れか一つが第１の箸１の第２の凹部１Ｙに設けられ、本実施例では、他方側第２の被係止部３Ｂ２が第２の凹部１Ｙに設けられている。
【００１７】
また、図１及び図２に示すように、第２の箸２の先端よりは第２の箸２の後端に近い側には、第１の板状部材２Ａと、この第１の板状部材２Ａに対向する第２の板状部材２Ｂとが設けられ、例えば、本実施例では、第１の板状部材２Ａ及び第２の板状部材２Ｂは第２の箸２に一体的に設けられている。
そして、第１の板状部材２Ａには、一方側第１の被係止部３Ａ１又は一方側第２の被係止部３Ａ２に係止する一方側係止部２Ａ１が設けられ、第２の板状部材２Ｂには、他方側第１の被係止部３Ｂ１又は他方側第２の被係止部３Ｂ２に係止する他方側係止部２Ｂ１が設けられている。
また、図３に示すように、後述する張出部５Ｄに係止する張出被係止部２Ａ２、張出被係止部２Ａ２に係止した張出部５Ｄの第１の直線部５Ａの両サイドに接触して第１の直線部５Ａの移動を阻止する阻止部２Ａ３、２Ａ４が、それぞれ第２の板状部材２Ｂに設けられている。
【００１８】
また、図３及び図４に示す５は弾性部材で、弾性部材５は、例えば、シリコンで形成され、第１の板状部材２Ａと第２の板状部材２Ｂとの間に位置し、第１の箸１の先端と第２の箸２の先端とが離間するように付勢するものである。
弾性部材５は第１の直線部５Ａ、第２の直線部５Ｂ、この第１の直線部５Ａと第２の直線部５Ｂを接続する接続部５Ｃ、第１の直線部５Ａの先端部より第１の直線部５Ａの長手方向を横断する方向へ張り出す張出部５Ｄを有し、図４に示すように、第２の直線部５Ｂが第１の箸１に接触して、弾性部材５により第１の箸１の先端と第２の箸２の先端とが離間するようになっている。
【００１９】
従って、上述した箸Ｃによれば、一方側第１の被係止部３Ａ１は、一方側第２の被係止部３Ａ２より第２の箸２に近い側に位置しているため、一方側第１の被係止部３Ａ１に一方側係止部２Ａ１が、他方側第１の被係止部３Ａ１に他方側係止部２Ｂ１が、それぞれ係止した場合（図４及び図５参照）は、一方側第２の被係止部３Ａ２に一方側係止部２Ａ１が、他方側第２の被係止部３Ｂ２に他方側係止部２Ｂ１が、それぞれ係止した場合（図１及び図２参照）に比べ、第１の箸１と第２の箸２の間隔が広くなり（例えば、図４のＷ参照）、使用者の手のサイズに対応することができ、また、使用者が子供である場合、子供の成長に対応することができる。
【００２０】
また、横断部３が第１の箸１の第１の凹部１Ｘ、第２の凹部１Ｙに設けられているため、横断部３の一方側第１、第２の被係止部３Ａ１、３Ａ２に係止する一方側係止部２Ａ１の第１の板状部材２Ａの第２の箸２よりの突出量を、横断部３の他方側第１、第２の被係止部３Ｂ１、３Ｂ２に係止する一方側係止部２Ａ１の第１の板状部材２Ａの第２の箸２よりの突出量を、それぞれ少なくして手で箸Ｃを把持する違和感を軽減することができ、弾性部材５の張出部５Ｄを張出被係止部２Ａ２で、弾性部材５の第１の直線部５Ａの両サイドを阻止部２Ａ３、２Ａ４でそれぞれ支持して、弾性部材５の一部に荷重がかかるのを防いで弾性部材５の耐久性、引いては箸Ｃの耐久性を向上させることができる。
【００２１】
また、上述した箸Ｃによれば、従来（特開２０１２−１６４２９公報）のような箸にアダプターを取り付けるための、ホルダ、挿入孔等が不要で、しかも、一方側第１の被係止部３Ａ１、一方側第２の被係止部３Ａ２の内、何れか一つが第１の箸１の第１の凹部１Ｘに設けられ、他方側第１の被係止部２Ｂ１、他方側第２の被係止部２Ｂ２の内、何れか一つが第１の箸１の第２の凹部１Ｙに設けられているため、凹部１Ｘ、１Ｙを横断する横断部３の第１の箸１より突出する量を少なくして箸Ｃのコンパクト化を図ることができる。
【００２２】
なお、上述した実施例（図１〜図５）においては、箸Ｃにおいて、第１の箸１に一方側第１の被係止部３Ａ１、一方側第２の被係止部３Ａ２、他方側第１の被係止部３Ｂ１、他方側第２の被係止部３Ｂ２、第２の箸２に一方側係止部２Ａ１を有した第１の板状部材２Ａ、他方側係止部２Ｂ１を有した第２の板状部材２Ｂを設けたが、
本願発明にあっては、これに限らず、凹凸を逆に、上述した実施例の第１の箸１の一方の面に図示しない一方側第１の係止部（例えば、凸）、上述した実施例の第１の箸１の他方の面に図示しない他方側第１の係止部（例えば、凸）、上述した実施例の第２の箸２に設けた第１の板状部材に図示しない一方側第１の被係止部、一方側第２の被係止部（例えば、凹）、上述した実施例の第２の箸２に設けた第２の板状部材に図示しない他方側第１の被係止部、他方側第２の被係止部（例えば、凹）、をそれぞれ位置させるようにしても良い。
即ち、箸は、上述した実施例（図１〜図５）と同様、第１の箸と、この第１の箸に対向するように設けられた第２の箸とを有する。
そして、前記第１の箸の先端よりは前記第１の箸の後端に近い側の一方側の面には、一方側第１の係止部（例えば、凸）が設けられ、前記一方側の面の裏面である他方側の面には、他方側第１の係止部（例えば、凸）が設けられ、前記一方側第１の係止部の反対側の面には、前記他方側第１の係止部が対応する位置にあり、前記第２の箸の先端よりは前記第２の箸の後端に近い側には、上述した実施例（図１〜図５）と同様の第１の板状部材と、この第１の板状部材に対向する上述した実施例（図１〜図５）と同様の第２の板状部材とが設けられ、前記第１の板状部材には、前記一方側第１の係止部に係止される一方側第１の被係止部（例えば、凹）、一方側第２の被係止部（例えば、凹）が設けられ、前記第１の箸と前記第２の箸が、略平行状態にあって、前記一方側第１の被係止部は、前記一方側第２の被係止部より前記第２の箸に近い側に位置し、前記第２の板状部材には、前記他方側第１の係止部に係止される他方側第１の被係止部（例えば、凹）、他方側第２の被係止部（例えば、凹）が設けられ、前記一方側第１の被係止部は前記他方側第１の被係止部に、前記一方側第２の被係止部は前記他方側第２の被係止部に、それぞれ対向する位置関係にある。
そして、前記第１の板状部材と前記第２の板状部材との間に位置し、前記第１の箸の先端と前記第２の箸の先端とが離間するように付勢された上述した実施例（図１〜図５）と同様の弾性部材が設けられている。
この実施例においても、上述した実施例（図１〜図５）と同様の「一方側第１の被係止部は、一方側第２の被係止部より第２の箸に近い側に位置しているため、一方側第１の被係止部に一方側係止部が、他方側第１の被係止部に他方側係止部が、それぞれ係止した場合は、一方側第２の被係止部に一方側係止部が、他方側第２の被係止部に他方側係止部が、それぞれ係止した場合に比べ、第１の箸と第２の箸の間隔が広くなり、使用者の手のサイズに対応することができ、また、使用者が子供である場合、子供の成長に対応することができる」等の効果を有する。
【００２３】
なお、上述した実施例（図１〜図５）においては、第１の板状部材２Ａ及び第２の板状部材２Ｂを第２の箸２に一体的に設けているが、本願発明にあっては、これに限らず、別体に設けても良く、別体に設けた場合、固定しても良く、また、固定せず回動するように構成しても良い。
【符号の説明】
【００２４】
Ｃ      箸
１      第１の箸
２      第２の箸
２Ａ    第１の板状部材
２Ａ１  一方側係止部
２Ｂ    第２の板状部材
２Ｂ１  他方側係止部
３      横断部
３Ａ    一方側の面
３Ａ１  一方側第１の被係止部
３Ａ２  一方側第２の被係止部
３Ｂ    他方側の面
３Ｂ１  他方側第１の被係止部
３Ｂ２  他方側第２の被係止部
【図１】
2015205074.tif 000003
【図２】
2015205074.tif 000004
【図３】
2015205074.tif 000005
【図４】
2015205074.tif 000006
【図５】
2015205074.tif 000007